(57)【要約】【課題】簡略な構成で且つコスト等を削減しつつ、放送情報等の受信処理の実行予定時間と複写処理等の実行予定時間とが重複する場合でも夫々を両立させて実行することが可能な情報処理装置を提供する。【解決手段】予約録画処理とダビング処理とを行うためのＭＰＥＧエンコーダ６及び記録エンコーダ７を備えるレコーダＳにおいて、予約録画時間の少なくとも一部と、ダビング時間の少なくとも一部と、との間に時間的な重なりがあるか否かを検出し、当該重なりがあるとき、予約録画時間を除く時間にダビング処理を実行するようにＭＰＥＧエンコーダ６及び記録エンコーダ７を制御するＣＰＵ１７を備える。【選択図】図１
2009060155.tif 000002
【特許請求の範囲】
【請求項１】
予め規定された予定に従って外部から入力されて来る外部入力情報を記録媒体に記録する外部依存処理と、既に前記記録媒体に記録されている既存情報を他の記録媒体に記録する既存処理と、を実行する処理手段と、
前記外部依存処理を実行すべき時間であって前記予定に対応した外部依存処理時間の少なくとも一部と、前記既存処理を行うべき時間である既存処理時間の少なくとも一部と、の間に時間的な重なりがあるかを検出する重複検出手段と、
前記重なりがあるとき、前記外部依存処理時間を除く時間に前記既存処理を実行するように前記処理手段を制御する制御手段と、
を備えることを特徴とする情報処理装置。
【請求項２】
請求項１に記載の情報処理装置において、
前記既存処理の終了予定時刻を検出する終了予定時刻検出手段と、
前記検出された終了予定時刻を告知する告知手段と、
を更に備えることを特徴とする情報処理装置。
【請求項３】
請求項１又は２に記載の情報処理装置において、
前記制御手段は、前記重なりがあるとき、前記外部依存処理終了後に前記既存処理を開始するように前記処理手段を制御することを特徴とする情報処理装置。
【請求項４】
請求項１又は２に記載の情報処理装置において、
前記制御手段は、前記既存処理が前記外部依存処理よりも先に開始される場合であって前記重なりがあるとき、前記外部依存処理が開始される時刻までに前記既存処理の実行を一時的に中断し、前記外部依存処理終了後に当該中断された既存処理の実行を再開するように前記処理手段を制御することを特徴とする情報処理装置。
【請求項５】
請求項４に記載の情報処理装置において、
前記制御手段は、前記外部依存処理の開始予定時刻から当該外部依存処理を実行するために必要な準備処理に要する時間だけ前の時刻に前記既存処理の実行を中断するように前記処理手段を制御することを特徴とする情報処理装置。
【請求項６】
請求項４に記載の情報処理装置において、
前記制御手段は、前記外部依存処理の開始予定時刻より前の時刻であって前記既存情報を構成する単位情報の一つを対象とした前記既存処理が終了する時刻に前記既存処理の実行を中断し、
更に、前記外部依存処理終了後において、前記中段時に終了した前記既存処理の対象となった前記単位情報の次に当該既存処理の対象となる前記単位情報から当該既存処理を再開するように前記処理手段を制御することを特徴とする情報処理装置。
【請求項７】
請求項４から６のいずれか一項に記載の情報処理装置において、
前記外部依存処理時間を設定するために用いられる外部依存処理時間設定手段を更に備え、
当該外部依存処理時間の設定が前記既存処理の実行中に実行されたものであることを特徴とする情報処理装置。
【請求項８】
請求項４から６のいずれか一項に記載の情報処理装置において、
前記外部依存処理時間を設定するために用いられる外部依存処理時間設定手段を更に備え、
前記外部依存処理時間の設定が前記既存処理時間より前に実行されたものであることを特徴とする情報処理装置。
【請求項９】
請求項１から８のいずれか一項に記載の情報処理装置において、
前記外部依存処理及び前記既存処理は、一の前記処理手段を相互に排他的に使用して実行される処理であることを特徴とする情報処理装置。
【請求項１０】
請求項９に記載の情報処理装置において、
前記外部依存処理は、予め設定された放送予定に従って放送されて来る前記外部入力情報を、前記処理手段を用いて前記記録媒体に記録する処理するものであり、
更に前記既存処理は、前記記録媒体に記録されている前記既存情報を、前記処理手段を介して前記他の記録手段に複写する処理であることを特徴とする情報処理装置。
【請求項１１】
コンピュータを、請求項１から１０のいずれか一項に記載の情報処理装置として機能させることを特徴とする情報処理用プログラム。
【発明の詳細な説明】
【技術分野】
【０００１】
本願は、情報処理装置及び情報処理用プログラムの技術分野に属し、より詳細には、例えば放送電波等を介して伝送されて来る放送情報に対して記録等の情報処理を施すと共に、既に取得済みの情報に対しても必要な情報処理を施す情報処理装置及び当該情報処理に供される情報処理用プログラムの技術分野に属する。
【背景技術】
【０００２】
近年、放送電波を介して放送されて来る番組等の放送情報を受信し、これをＤＶＤ（Digital Versatile Disc）又はハードディスク等の記録媒体に記録する、いわゆるハードディスクレコーダ等の情報記録装置が一般化しつつある。
【０００３】
一方、当該ハードディスクレコーダにおいては、異なる記録媒体間における情報の複写処理（いわゆるダビング処理やリッピング処理等）が可能となっている場合が多い。
【０００４】
ここで、上述した放送情報の受信処理においては、そのスケジュールは外部の放送局における放送予定に基づいて定められるものであり、それを受信する使用者としては、例えば放送開始時間（＝録画開始時間）等の設定を含む予約録画処理のための設定を行って上記放送情報を予約受信し、これを記録することが必要となる。
【０００５】
他方、上記情報の複写処理においては、その転送レートにもよるが、ある程度の時間を要する場合が多い。
【０００６】
そして、一台のハードディスクレコーダを用いて上記放送情報の受信処理と情報の複写処理とを行う場合、当該放送情報の受信処理に要する時間と情報の複写処理に要する時間とが重複する場合があり得る。
【０００７】
この点につき、従来では、使用者自ら実行される時間帯を設定した情報の複写処理の方が放送情報の受信処理より優先される構成となっている場合が多く、当該複写処理が終了しない限り放送情報の受信処理が開始されない構成となっている場合が多かった。
【０００８】
また、下記特許文献１に記載されている他の従来技術としては、放送情報の受信処理に要する時間と情報の複写処理に要する時間とが重複する場合に当該使用者に対して警告を発し、当該使用者にいずれの処理を実行するかを選択させる構成となっている。
【０００９】
更に下記特許文献２に記載されている更に他の従来技術としては、ネットワークを用いて二台のハードディスクレコーダを接続し、放送情報の受信処理に要する時間と情報の複写処理に要する時間とが重複する場合に、一方のハードディスクレコーダに放送情報の受信処理を行わせ、他方のハードディスクレコーダに情報の複写処理を実行させる構成となっている。
【特許文献１】特開２００４−０４０３５５
【特許文献２】特開２００３−２７４８１３
【発明の開示】
【発明が解決しようとする課題】
【００１０】
しかしながら、上記特許文献１及び特許文献２以外の従来の技術並びに当該特許文献１に記載の技術では、放送情報の受信処理に要する時間と情報の複写処理に要する時間とが重複する場合に、いずれか一方の処理を実行することしかできない点で変わりはない。
【００１１】
また、上記特許文献２に記載の技術では、最低でも二台のハードディスクレコーダが必要となるのであり、これではコスト、設置スペース及び操作が複雑となる等の点で問題があった。
【００１２】
そこで、本願は上記の各問題点に鑑みて為されたもので、その課題の一例は、簡略な構成で且つコスト等を削減しつつ、放送情報等の受信処理の実行予定時間と複写処理等の実行予定時間とが重複する場合でも夫々を両立させて実行することが可能な情報処理装置及び当該情報処理用のプログラムを提供することにある。
【課題を解決するための手段】
【００１３】
上記の課題を解決するために、請求項１に記載の発明は、予め規定された予定に従って外部から入力されて来る外部入力情報を光ディスク等の記録媒体に記録する外部依存処理と、既に前記記録媒体に記録されている既存情報を他の記録媒体に記録する既存処理と、を実行するＭＰＥＧエンコーダ等の処理手段と、前記外部依存処理を実行すべき時間であって前記予定に対応した外部依存処理時間の少なくとも一部と、前記既存処理を行うべき時間である既存処理時間の少なくとも一部と、の間に時間的な重なりがあるかを検出するＣＰＵ等の重複検出手段と、前記重なりがあるとき、前記外部依存処理時間を除く時間に前記既存処理を実行するように前記処理手段を制御するＣＰＵ等の制御手段と、を備える。
【００１４】
上記の課題を解決するために、請求項１１に記載の発明は、コンピュータを、請求項１から１０のいずれか一項に記載の情報処理装置として機能させる。
【発明を実施するための最良の形態】
【００１５】
次に、本願を実施するための最良の形態について、図面に基づいて説明する。なお、以下に説明する実施形態は、テレビジョン放送電波を介して放送されて来る放送情報（具体的には画像情報又は音声情報等）を、予めその放送スケジュールを記憶（予約）して受信し記録する予約録画処理と、既に記録済の情報を外部又は同一装置内に設けられた他の記録媒体から複写する、いわゆるダビング処理と、の双方が可能な情報記録装置に対して本願を適用した場合の実施の形態である。
【００１６】
（Ｉ）第１実施形態
始めに、本願に係る第１実施形態について、図１乃至図３を用いて説明する。
【００１７】
なお、図１は第１実施形態に係る情報記録装置の概要構成を示すブロック図であり、図２は当該情報記録装置の動作を示すフローチャートであり、図３は当該動作を具体的に説明する概念図である。
【００１８】
図１に示すように、第１実施形態に係る情報記録装置Ｓは、ピックアップ２と、Ａ／Ｄ（アナログ／デジタル）コンバータ３と、処理手段としてのＭＰＥＧ（Moving Picture Expert Group）エンコーダ４と、処理手段としての記録エンコーダ６と、記録回路７と、ＭＰＥＧデコーダ１１と、Ｄ／Ａコンバータ１３と、スピンドルモータ１６と、重複検出手段、終了予定時刻検出手段及び制御手段としてのＣＰＵ１７と、サーボ回路１８と、告知手段としての表示部１９と、外部依存処理時間設定手段としての操作部２０と、により構成されている。
【００１９】
次に、各構成部材個々の概要動作を、図１を用いて説明する。
【００２０】
先ず、第１実施形態に係る上記予約録画処理として、外部接続されている図示しないテレビジョンチューナ等において放送電波を介して受信された上記放送情報（当該放送情報としては、具体的には、上述したように画像情報及び音声情報の双方が含まれる）を記録媒体としての光ディスク１に記録する場合について説明する。
【００２１】
先ず、当該予約録画処理を行う前提として、操作部２０においては、当該予約録画処理の対象となっている放送情報の放送開始時刻及び放送終了時刻、放送チャンネル並びに光ディスク１に記録する際の記録レート（換言すれば、当該記録の際の画質等）等が入力され、これらの情報が指示信号ＳcとしてＣＰＵ１７に出力される。そして、当該ＣＰＵ１７は、当該放送開始時刻を示す情報等を不揮発的に記憶し、更に当該放送開始時刻が近づくと、光ディスク１への記録処理のための予め設定された初期化処理等を上記各構成部材において実行するように、当該各構成部材を制御する。
【００２２】
そして、上記した予約録画処理のための動作が完了し、更に当該放送開始時刻が到来したことで上記放送情報に対応する情報信号Ｓinが図示しない上記テレビジョンチューナ等から入力されると、先ず、Ａ／Ｄコンバータ３は当該情報信号Ｓinをデジタル化し、デジタル信号Ｓdを生成してＭＰＥＧエンコーダ４へ出力する。
【００２３】
そして、ＭＰＥＧエンコーダ４は、ＣＰＵ１７から出力されている制御信号Ｓ7に基づいて、入力されてくるデジタル信号Ｓdを例えばＭＰＥＧ２方式で圧縮し、圧縮信号Ｓeを生成して記録エンコーダ６及びＭＰＥＧデコーダ１１へ出力する。
【００２４】
これにより、記録エンコーダ６は、ＣＰＵ１７から出力されている制御信号Ｓ3に基づき、入力されてくる圧縮信号Ｓeに対して、当該圧縮信号Ｓeの現在のフォーマットを光ディスク１に記録する際のフォーマットに変換するいわゆるフォーマッティング処理を施し、記録エンコード信号Ｓreを生成して記録回路７へ出力する。
【００２５】
これと並行して、記録エンコーダ６は、上記制御信号Ｓ3に基づき、必要に応じて、生成された記録エンコード信号Ｓreに基づいて記録すべき後述の記録信号Ｓrの光ディスク１上の位置（すなわち、記録すべき情報が記録される光ディスク１上の位置）を示す記録アドレス信号ＳraをＣＰＵ１７に出力する。
【００２６】
次に、記録回路７は、ＣＰＵ１７から出力されている制御信号Ｓ2に基づいて、入力されてくる記録エンコード信号Ｓreを記録用の記録信号Ｓrに変換し、ピックアップ２へ出力する。このとき記録回路７においては、記録すべき情報に正確に対応した形状のピットを後述の光ディスク１上に形成すべく、記録エンコード信号Ｓreに対していわゆるライトストラテジ処理等が施される。
【００２７】
その後、ピックアップ２は、記録回路７から出力されている記録信号Ｓrに基づいて、当該ピックアップ２内の図示しない半導体レーザ等の光源を駆動してレーザ光等の光ビームＢを生成して光ディスク１の情報記録面に照射し、当該記録信号Ｓrに対応するピットを形成することにより記録信号Ｓrを光ディスク１上に記録する。
【００２８】
このとき、当該光ディスク１は、後述するスピンドル制御信号Ｓsmに基づいて駆動されるスピンドルモータ１６により所定の回転数で回転されている。なお、当該光ディスク１上では、例えば、相変化方式により記録信号Ｓrに対応するピットが形成されて当該記録信号Ｓrが記録される。
【００２９】
一方、ＭＰＥＧデコーダ１１は、ＣＰＵ１７から出力されている制御信号Ｓ9に基づいて、入力されてくる上記圧縮信号Ｓeに対してＭＰＥＧ２方式による伸長処理を施し、デコード信号ＳdcとしてＤ／Ａコンバータ１３に出力される。
【００３０】
次に、Ｄ／Ａコンバータ１３は、デコード信号Ｓdcをアナログ化し、上記情報信号Ｓinに対応する出力信号Ｓoutを生成して図示しない外部のモニタ又は図示しないスピーカ等に出力する。
【００３１】
このとき、ＣＰＵ１７は、上記記憶されている放送情報の放送開始時刻及び放送終了時刻、放送チャンネル並びに記録レート並びに上記記録アドレス信号Ｓra等に基づき、上記予約録画処理を実行すべく、上記各制御信号Ｓ2、Ｓ3、Ｓ7及びＳ9を生成し、上記各構成部材に出力して上述した記録のための各動作を制御する。
【００３２】
以上説明した一連の情報記録時の動作により、現在記録されている記録信号Ｓrに対応する画像又は音声を実時間でモニタしつつ記録することができる。
【００３３】
次に、第１実施形態に係る上記ダビング処理として、外部接続されている図示しない他の情報再生装置から入力されてくる情報又は情報記録装置Ｓ内の図示しない他の記録媒体（例えば、磁気を用いて情報が記録されるハードディスク等）に記録されている情報を光ディスク１に記録する場合の処理について説明する。
【００３４】
なお、上記他の情報再生装置又は他の記録媒体からの情報は、上記情報信号ＳinとしてＡ／Ｄコンバータ３に入力される。
【００３５】
そして、ダビング処理を開始するときに、操作部２０において図示しないダビング開始ボタンが操作されると、Ａ／Ｄコンバータ３、ＭＰＥＧエンコーダ４、記録エンコーダ６、記録回路７、ピックアップ２、ＭＰＥＧデコーダ１１及びＤ／Ａコンバータ１３は、上述した予約録画処理の場合と同様の動作を実行し、光ディスク１にダビングすべき情報信号Ｓinに対応する記録信号Ｓrを光ディスク１に記録すると共に、現在記録されている記録信号Ｓrに対応する画像又は音声を出力信号Ｓoutとして上記図示しない外部のモニタ又は図示しないスピーカ等に出力することになる。
【００３６】
このとき、ＣＰＵ１７は、上記記録アドレス信号Ｓra等に基づき、上記ダビング処理を実行すべく、上記各制御信号Ｓ2、Ｓ3、Ｓ7及びＳ9を生成し、上記各構成部材に出力して上述した記録のための各動作を制御する。
【００３７】
これらの予約録画処理又はダビング処理の各動作と並行して、ＣＰＵ１７は、スピンドルモータ１６及びピックアップ２をサーボ制御するための制御信号Ｓsを生成してサーボ回路１８に出力し、当該サーボ回路１８は、制御信号Ｓsに基づいてスピンドルモータ１６の回転を制御するための上記スピンドル制御信号Ｓsmを生成して当該スピンドルモータ１６に出力すると共に、ピックアップ２におけるいわゆるトラッキングサーボ制御及びフォーカスサーボ制御のためのピックアップ制御信号Ｓspを生成して当該ピックアップ２に出力する。そして、ピックアップ２は、当該ピックアップ制御信号Ｓspに基づき、光ビームＢに対してトラッキングサーボ制御及びフォーカスサーボ制御を施しつつ上記記録信号Ｓrの記録を行う。
【００３８】
なお、上述した情報記録装置Ｓの動作を使用者が制御するために必要な情報は、ＣＰＵ１７からの表示信号Ｓdpに基づいて表示部１９に表示される。
【００３９】
また、上述したダビング処理においては、ＭＰＥＧエンコーダ４における上記フォーマッティング処理を伴うダビング処理の場合についてそのための各構成部材の動作を説明したが、第１実施形態に係るダビング処理としては、上記の他に、ＭＰＥＧエンコーダ４及び記録エンコーダ６を用いない（すなわち、情報信号Ｓinとして入力されてくるダビング処理対象の情報におけるフォーマットが既に光ディスク１に情報を記録する際に用いられるべき記録フォーマットに沿っており、且つ記録処理のためのデータレートの変換等を行う必要がないが故に、ＭＰＥＧ２方式に則った再符号化処理や上記フォーマッティング処理が必要ない）ダビング処理がある。このダビング処理を実行する場合には、Ａ／Ｄコンバータ３によりデジタル化されたデジタル信号Ｓdは、そのままＭＰＥＧエンコーダ４及び記録エンコーダ６をスルーして記録回路７に出力されることとなる。
【００４０】
なお、このＭＰＥＧエンコーダ４及び記録エンコーダ６を用いないダビング処理の場合は、上記予約録画処理において当該ＭＰＥＧエンコーダ４及び記録エンコーダ６を使用する場合においても、当該予約録画処理とダビング処理とを並列的に同時進行させることが可能である。この場合は、記録回路７及びピックアップ２においては、予約録画処理とダビング処理とが時分割的に実行されることとなる。
【００４１】
次に、上述してきた構成を備える情報記録装置Ｓにおいて実行される、第１実施形態に係る上記ダビング処理及び上記予約録画処理について、具体的に図２及び図３を用いて説明する。なお、以下に説明する動作においては、ＭＰＥＧエンコーダ４及び記録エンコーダ６を複数組備えているものではなく、一組のみ備えている情報記録装置Ｓについて説明する。また、上記予約録画処理に必要な放送開始時刻及び放送終了時刻、放送チャンネル並びに光ディスク1に記録する際の記録レートを示す諸情報は、周知の方法により既にＣＰＵ１７内に不揮発的に記憶されているものとする。
【００４２】
図２に示すように、予約録画処理に必要な上記諸情報がＣＰＵ１７内に記憶された状態で第１実施形態に係るダビング処理の開始が操作部２０において指示されると（ステップＳ１）、そのダビング処理がＭＰＥＧエンコーダ４及び記録エンコーダ６による符号化処理等を必要とするものか否かを判定する（ステップＳ２）。このステップＳ２における判定は、使用者が指定した記録レートと情報信号Ｓinとしてのデータレートとが相違しているか否か、又は光ディスク１における記録可能な残容量と記録すべき情報信号Ｓin全体の情報量との関係等に基づき、ＣＰＵ１７において判定される。
【００４３】
ステップＳ２の判定において、実行されるべきダビング処理がＭＰＥＧエンコーダ１１及び記録エンコーダ６を用いないダビング処理である場合には（ステップＳ２；ＮＯ）、そのまま記録回路７等を用いて必要なダビング処理を開始する（ステップＳ９）。
【００４４】
そして、当該ダビング処理を実行中においては、必要なダビング処理が全て完了したか否かを常に確認しており（ステップＳ１０）、必要なダビング処理が終了したのならば（ステップＳ１０；ＹＥＳ）そのまま第１実施形態に係る動作を終了し、一方、未だ必要なダビング処理が全て終了していない場合は（ステップＳ１０；ＮＯ）、上記ステップＳ９に戻って必要なダビング処理を継続する。
【００４５】
一方、上記ステップＳ２の判定において、実行されるべきダビング処理がＭＰＥＧエンコーダ１１及び記録エンコーダ６を用いる必要のあるダビング処理である場合には（ステップＳ２；ＹＥＳ）、次に、ステップＳ１において指示されたダビング処理が実行される時間（以下、当該時間を単にダビング時間と称する）を算出し、更に当該算出されたダビング時間の少なくとも一部と上記予約録画処理が実行される時間（すなわち、ＣＰＵ１７に記憶されている放送開始時刻から放送終了時刻までの時間。以下、当該時間を単に予約録画時間と称する。）の少なくとも一部とが時間的に重なっているか否かを確認する（ステップＳ３、Ｓ４）。
【００４６】
そして、当該重なりがないときは（ステップＳ４；ＮＯ）、ＭＰＥＧエンコーダ６及び記録エンコーダ７を重複使用する必要がないことから、直ちにダビング処理を開始しても予約録画処理に影響を与えることがないことになるので、そのまま記録回路７等を用いて必要なダビング処理を開始し（ステップＳ９）、以下上述したステップＳ１０の動作に移行する。
【００４７】
他方、ステップＳ４の判定において、予約録画時間とダビング時間との間に少なくとも一部同士の重なりがあるときは（ステップＳ４；ＹＥＳ）、その旨を表示部１９を用いて表示して使用者に警告し、更に予約録画処理が終了した後にダビング処理を開始した場合の当該ダビング処理の終了予定時刻を計算して表示し、併せて予約録画処理が終了した後にダビング処理を開始する旨を表示する（ステップＳ５）。
【００４８】
そして、当該表示内容、すなわち予約録画処理が終了した後にダビング処理を開始する旨を使用者が了承したことを示す操作が操作部２０において実行されたか否かを確認し（ステップＳ６）、当該操作が実行されたときは（ステップＳ６；ＹＥＳ）、先ず予約録画処理をＣＰＵ１７に記憶されている放送開始時刻等に基づいて実行し（ステップＳ１１）、その終了後に上記ステップＳ９に移行してダビング処理を実行し（ステップＳ９）、更に上述したステップＳ１０の動作に移行する。
【００４９】
一方、ステップＳ６の判定において、予約録画処理が終了した後にダビング処理を開始する旨を使用者が了承しないことを示す操作が操作部２０において実行されたときは（ステップＳ６；ＮＯ）、ダビング処理の実行により予約録画処理の一部が実行されなくても構わないと判断されたと看做し、次に、直ちにダビング処理を開始するか否かを使用者に確認する（ステップＳ７）。そして、当該ダビング処理を直ちに開始することが使用者により了承された旨の操作が操作部２０において実行されると（ステップＳ８；ＹＥＳ）、直ちに所望のダビング処理を行い（ステップＳ９）、その終了後に上記ステップＳ10の処理に移行する。
【００５０】
他方、ステップＳ８の判定において、直ちにダビング処理を開始しない旨の操作が操作部２０において実行されたときは（ステップＳ８；ＮＯ）、そのまま上記ステップＳ１０の処理に移行する。
【００５１】
次に、図１及び図２を用いて示した第１実施形態に係るダビング処理及び予約録画処理の実行態様について、具体的に図３を用いて説明する。
【００５２】
先ず、図３において、予約録画時間ＰＲは、放送開始時刻ＴＲＳから放送終了時刻ＴＲＥまでであり、一方、ダビング時間ＰＤは、ダビング開始時刻ＴＤＳからダビング終了時刻ＴＤＥまでであるとする。そして、両者は、ダビング時間ＰＤの終端部分と予約録画時間ＰＲの始端部分とが、時間Ｄだけ重なっているとする。
【００５３】
このような状態で第１実施形態に係るダビング処理及び予約録画処理が実行されると、上記ステップＳ６の判定においてそれが「ＹＥＳ」であった場合は、図３最下段に示すように予約録画処理が全て終了した後、直ちにダビング処理が開始され必要なダビング処理が実行されることになる。
【００５４】
以上説明したように、第１実施形態に係る情報記録装置Ｓの動作によれば、予約録画時間の少なくとも一部と、ダビング時間の少なくとも一部と、との間に時間的な重なりがあるとき、予約録画時間を除く時間にダビング処理を実行するように制御するので、使用者の手を介することなく且つ一つの情報記録装置Ｓを用いた簡易な構成で、予約録画処理とダビング処理とを両立させて実行することができる。
【００５５】
従って、簡略な操作及び構成で且つコスト等を削減しつつ、予約録画時間とダビング時間とが重複する場合でも夫々を両立させて実行することができる。
【００５６】
また、ダビング処理の終了予定時刻が告知されるので、より利便性を向上させることができる。
【００５７】
（II）第２実施形態
次に、本願に係る他の実施形態である第２実施形態について、図４及び図５を用いて説明する。なお、図４は第２実施形態に係る情報記録装置における動作を示すフローチャートであり、図５は当該動作を具体的に説明する概念図である。
【００５８】
また、上述した第１実施形態においては、予約録画時間とダビング時間との間に少なくとも一部同士の重なりがあるとき、予約録画処理を先に実行し、その終了後にダビング処理を再開するように構成したが、以下に説明する第２実施形態においては、ダビング処理が予約録画処理より早く開始される場合であって当該重なりがあるとき、先ずはダビング処理を予定通り開始し、その後に予約録画処理の実行開始時刻（すなわち、ＣＰＵ１７内に記憶されている放送開始時刻）から当該予約録画処理開始のために必要な準備処理を行う時間（以下、当該時間を準備時間と称する）だけ前になったタイミングでダビング処理を一次的に中断し、その後当該準備処理後に予約録画処理を実行し、その予約録画処理終了後に、一時的に中断したダビング処理をその中断したタイミングから再開する。
【００５９】
また、第２実施形態に係る情報記録装置は、図１に示す第１実施形態に係る情報記録装置Ｓの構成と同様の構成を備えるので、細部の説明は省略する。
【００６０】
次に、第２実施形態に係る上記ダビング処理及び上記予約録画処理について、具体的に図４及び図５を用いて説明する。なお、以下に説明する動作においては、第１実施形態の場合と同様に、上記予約録画処理に必要な放送開始時刻及び放送終了時刻、放送チャンネル並びに光ディスク1に記録する際の記録レートを示す諸情報は、周知の方法により既にＣＰＵ１７内に不揮発的に記憶されているものとする。また、図４に示すフローチャートにおいては、図２に示す第１実施形態に係るダビング処理及び予約録画処理と同様の処理については、同様のステップ番号を付して細部の説明は省略する。
【００６１】
図４に示すように、予約録画処理に必要な上記諸情報がＣＰＵ１７内に記憶された状態で第２実施形態に係るダビング処理の開始が操作部２０において指示されると（ステップＳ１）、以下、図２に示すステップＳ２乃至Ｓ４と同様の処理を実行する。
【００６２】
そして、当該ステップＳ４の判定において、予約録画時間とダビング時間との間に少なくとも一部同士の重なりがあるときは（ステップＳ４；ＹＥＳ）、次に、第２実施形態に係るダビング処理の対象となっている情報信号Ｓinのうち、予約録画処理の実行開始時刻である放送開始時刻から上記準備時間だけ前のタイミングまでにダビング処理を完了することができる情報信号Ｓinの部分を算出する（ステップＳ１５）。
【００６３】
その後、図２に示すステップＳ５と同様の処理として、上記予約録画時間とダビング時間との間に少なくとも一部同士の重なりがあることを表示すると共に、ダビング処理を一時中断して予約録画処理を実行後残りのダビング処理を再開する旨を表示し、更にステップＳ１５で算出された部分までのダビング処理を予約録画処理の実行前に行って当該ダビング処理を一時中断し、その後上記予約録画処理を実行し、その後更に一時中断していたダビング処理をその一時中断した情報信号Ｓinの位置から再開した場合の当該ダビング処理全体の終了予定時刻を算出して表示する（ステップＳ５）
そして、当該表示内容、すなわちダビング処理を一時中断して予約録画処理を実行した後に残りのダビング処理を再開する旨を使用者が了承したことを示す操作が操作部２０において実行されたか否かを確認し（ステップＳ６）、当該操作が実行されないときは（ステップＳ６；ＮＯ）、以降、図２に示すステップＳ７乃至Ｓ１０の処理を実行する。
【００６４】
一方、ステップＳ６の判定において、ダビング処理を一時中断して予約録画処理を実行した後に残りのダビング処理を開始する旨を使用者が了承したことを示す操作が操作部２０において実行されたときは（ステップＳ６；ＹＥＳ）、予定のダビング処理の開始時刻から当該ダビング処理を開始し（ステップＳ１６）、当該開始後は上記ステップＳ１５において算出した情報信号Ｓinの部分までダビング処理が終了したか否かを監視する（ステップＳ１７）。そして、当該部分（すなわち、ダビング処理の中断予定部分）までのダビング処理が終了していないときは（ステップＳ１７；ＮＯ）上記ステップＳ１６に戻って当該中断予定部分までダビング処理を継続し、一方、当該中断予定部分までダビング処理が終了したときは（ステップＳ１７；ＹＥＳ）、次に上記放送開始時刻から予約録画動作を開始する（ステップＳ１３）。
【００６５】
当該予約録画処理の開始後はその予約録画処理が全て完了したか否かを監視する（ステップＳ１８）。そして、当該予約録画処理が完了していないときは（ステップＳ１８；ＮＯ）上記ステップＳ１７に戻って予約録画処理を継続し、一方、予約録画処理が完了したときは（ステップＳ１８；ＹＥＳ）、上記ステップＳ１７の処理において一時中断していたダビング処理の残りを再開し、当該ダビング処理全体を完了させ（ステップＳ１９）、その後は上記ステップＳ１０の処理に移行する。
【００６６】
次に、図４を用いて示した第２実施形態に係るダビング処理及び予約録画処理の実行態様について、具体的に図５を用いて説明する。
【００６７】
先ず、図５において、予約録画時間ＰＲは、第１実施形態の場合と同様に放送開始時刻ＴＲＳから放送終了時刻ＴＲＥまでであり、一方、ダビング時間ＰＤも、第１実施形態の場合と同様にダビング開始時刻ＴＤＳからダビング終了時刻ＴＤＥまでであるとする。そして、両者は、ダビング時間ＰＤの終端部分と予約録画時間ＰＲの始端部分とが、時間Ｄだけ重なっているとする。
【００６８】
このような状態で第２実施形態に係るダビング処理及び予約録画処理が実行されると、上記ステップＳ６の判定においてそれが「ＹＥＳ」であった場合は、図５最下段に示すように、ダビング開始時刻ＴＤＳからダビング処理が開始され、その後、放送開始時刻ＴＲＳから上記準備時間Ｂ１だけ前のタイミング（図５において符号ＰＤ１で示すダビング時間経過後）でダビング処理が一中断される。
【００６９】
当該ダビング処理の一時中断後は上記準備時間の間に予約録画処理開始のために必要な準備処理を実行し予約録画処理を開始する。そして、当該予約録画処理が全て完了した後、直ちにダビング処理の残り（その所要時間は、図５に示すダビング時間ＰＤ２である）が再開され必要なダビング処理の全てが実行されることになる。
【００７０】
以上説明したように、第２実施形態に係る情報記録装置の動作による場合にも、予約録画時間の少なくとも一部と、ダビング時間の少なくとも一部と、との間に時間的な重なりがあるとき、予約録画時間を除く時間にダビング処理を実行するように制御するので、使用者の手を介することなく且つ一つの情報記録装置を用いた簡易な構成で、予約録画処理とダビング処理とを両立させて実行することができ、簡略な操作及び構成で且つコスト等を削減しつつ、予約録画時間とダビング時間とが重複する場合でも夫々を両立させて実行することができる。
【００７１】
また、ダビング処理の終了予定時刻が告知されるので、より利便性を向上させることができる。
【００７２】
更に、当該重なりがあるとき、予約録画処理が開始される時刻までにダビング処理の実行を一時的に中断し、予約録画処理終了後に当該中断されたダビング処理の実行を再開するので、予約録画処理とダビング処理とを確実に両立させて実行することができる。
【００７３】
更にまた、放送開始時刻ＴＲＳから必要な準備時間Ｂ１だけ前の時刻にダビング処理の実行を中断するので、予約録画処理全体を不足なく実行することができる。
【００７４】
（III）第３実施形態
次に、本願に係る更に他の実施形態である第３実施形態について、図６及び図７を用いて説明する。なお、図６は第３実施形態に係る情報記録装置における動作を示すフローチャートであり、図７は当該動作を具体的に説明する概念図である。
【００７５】
上述した第２実施形態においては、予約録画処理を開始する前にダビング処理を中断するに当たり、放送開始時刻ＴＲＳから準備時間Ｂ１だけ前になったタイミングでダビング処理を一次的に中断した。これに対し、以下に説明する第３実施形態においては、ダビング処理が予約録画処理より早く開始される場合であって当該重なりがあるとき、先ずはダビング処理を予定通り開始し、その後に当該ダビング処理を中断して予約録画処理に移行するに当たり、ダビング処理の対象となっている情報信号Ｓinに相当する情報を構成する単位情報のうち、放送開始時刻ＴＲＳから準備時間Ｂ１分遡ったタイミングより前にダビング処理が完了する最後の単位情報までの当該ダビング処理が完了したタイミングでダビング処理を一次的に中断する。そして、その後上記準備処理後に予約録画処理を実行し、その予約録画処理終了後に、一時中断前までにダビング処理が完了した最後の単位情報の次の単位情報を対象とするダビング処理から、当該ダビング処理を再開する。なお、上記単位情報の具体例について、例えばダビング処理の対象となっている情報が近年一般化しつつあるＤＶＤ（Digital Versatile Disc）規格に準拠した映画等の記録情報である場合、当該単位情報としては当該ＤＶＤ規格における「チャプター」が相当する。
【００７６】
また、第３実施形態に係る情報記録装置は、図１に示す第１実施形態に係る情報記録装置Ｓの構成と同様の構成を備えるので、細部の説明は省略する。
【００７７】
次に、第３実施形態に係る上記ダビング処理及び上記予約録画処理について、具体的に図６及び図７を用いて説明する。なお、以下に説明する動作においては、第１及び第２実施形態の場合と同様に、上記予約録画処理に必要な放送開始時刻及び放送終了時刻、放送チャンネル並びに光ディスク1に記録する際の記録レートを示す諸情報は、周知の方法により既にＣＰＵ１７内に不揮発的に記憶されているものとする。また、図６に示すフローチャートにおいては、図１に示す第１実施形態に係るダビング処理及び予約録画処理と同様の処理については、同様のステップ番号を付して細部の説明は省略する。
【００７８】
図６に示すように、予約録画処理に必要な上記諸情報がＣＰＵ１７内に記憶された状態で第３実施形態に係るダビング処理の開始が操作部２０において指示されると（ステップＳ１）、以下、図２に示すステップＳ２乃至Ｓ４と同様の処理を実行する。
【００７９】
そして、当該ステップＳ４の判定において、予約録画時間とダビング時間との間に少なくとも一部同士の重なりがあるときは（ステップＳ４；ＹＥＳ）、次に、第３実施形態に係るダビング処理の対象となっている情報信号Ｓinのうち、予約録画処理の実行開始時刻である放送開始時刻ＴＲＳから上記準備時間Ｂ１だけ遡ったタイミングより前までにダビング処理を完了することができる情報信号Ｓin中の最後の単位情報（例えばチャプター）に相当する部分を算出する（ステップＳ２０）。
【００８０】
その後、図２に示すステップＳ５と同様の処理として、上記予約録画時間とダビング時間との間に少なくとも一部同士の重なりがあることを表示すると共に、ダビング処理を一時中断して予約録画処理を実行後残りのダビング処理を再開する旨を表示し、更にステップＳ２０で算出された部分までのダビング処理を予約録画処理の実行前に行って当該ダビング処理を一時中断し、その後上記予約録画処理を実行し、その後更に一時中断していたダビング処理をその一時中断した情報信号Ｓinの位置から再開した場合の当該ダビング処理全体の終了予定時刻を算出して表示する（ステップＳ５）。
【００８１】
そして、当該表示内容、すなわちダビング処理を一時中断して予約録画処理を実行した後に残りのダビング処理を再開する旨を使用者が了承したことを示す操作が操作部２０において実行されたか否かを確認し（ステップＳ６）、当該操作が実行されないときは（ステップＳ６；ＮＯ）、以降、図２に示すステップＳ７乃至Ｓ１０の処理を実行する。
【００８２】
一方、ステップＳ６の判定において、ダビング処理を一時中断して予約録画処理を実行した後に残りのダビング処理を開始する旨を使用者が了承したことを示す操作が操作部２０において実行されたときは（ステップＳ６；ＹＥＳ）、予定のダビング処理の開始時刻から当該ダビング処理を開始し（ステップＳ１６）、当該開始後は上記ステップＳ２０において算出した情報信号Ｓinにおける最後の単位情報の部分までダビング処理が終了したか否かを監視する（ステップＳ１７）。そして、当該部分（すなわち、ダビング処理の中断予定部分）までのダビング処理が終了していないときは（ステップＳ１７；ＮＯ）上記ステップＳ１６に戻って当該中断予定部分までダビング処理を継続し、一方、当該中断予定部分までダビング処理が終了したときは（ステップＳ１７；ＹＥＳ）、次に上記放送開始時刻ＴＲＳから予約録画動作を開始する（ステップＳ１３）。
【００８３】
当該予約録画処理の開始後はその予約録画処理が全て完了したか否かを監視する（ステップＳ１８）。そして、当該予約録画処理が完了していないときは（ステップＳ１８；ＮＯ）上記ステップＳ１７に戻って予約録画処理を継続し、一方、予約録画処理が完了したときは（ステップＳ１８；ＹＥＳ）、上記ステップＳ１７の処理において一時中断していたダビング処理の残りを再開し、当該ダビング処理全体を完了させ（ステップＳ１９）、その後は上記ステップＳ１０の処理に移行する。
【００８４】
次に、図６を用いて示した第３実施形態に係るダビング処理及び予約録画処理の実行態様について、具体的に図７を用いて説明する。
【００８５】
先ず、図７において、予約録画時間ＰＲは、第１及び第２実施形態の場合と同様に放送開始時刻ＴＲＳから放送終了時刻ＴＲＥまでであり、一方、ダビング時間ＰＤも、第１実施形態の場合と同様にダビング開始時刻ＴＤＳからダビング終了時刻ＴＤＥまでであるとする。そして、両者は、ダビング時間ＰＤの終端部分と予約録画時間ＰＲの始端部分とが、時間Ｄだけ重なっているとする。
【００８６】
このような状態で第３実施形態に係るダビング処理及び予約録画処理が実行されると、上記ステップＳ６の判定においてそれが「ＹＥＳ」であった場合は、図７最下段に示すように、ダビング開始時刻ＴＤＳからダビング処理が開始され、その後、放送開始時刻ＴＲＳから準備時間Ｂ１だけ遡ったタイミングより前までにダビング処理を完了することができる情報信号Ｓin中の最後の単位情報のダビング処理が終了したタイミング（図７最下段において符号ＰＤ１で示すダビング時間経過後）でダビング処理が一中断される。なお、図７最下段においては、当該最後の単位情報のダビング処理の終了時刻から放送開始時刻ＴＲＳまでの時間を中断時間Ｂ２と示している。
【００８７】
当該ダビング処理の一時中断後は上記中断時間Ｂ２（上記準備時間Ｂ１を含む）の間に予約録画処理開始のために必要な準備処理を実行し予約録画処理を開始する。そして、当該予約録画処理が全て完了した後、直ちにダビング処理の残り（その所要時間は、図７に示すダビング時間ＰＤ２である）が再開され必要なダビング処理の全てが実行されることになる。
【００８８】
以上説明したように、第３実施形態に係る情報記録装置の動作による場合にも、予約録画時間の少なくとも一部と、ダビング時間の少なくとも一部と、との間に時間的な重なりがあるとき、予約録画時間を除く時間にダビング処理を実行するように制御するので、使用者の手を介することなく且つ一つの情報記録装置を用いた簡易な構成で、予約録画処理とダビング処理とを両立させて実行することができ、簡略な操作及び構成で且つコスト等を削減しつつ、予約録画時間とダビング時間とが重複する場合でも夫々を両立させて実行することができる。
【００８９】
また、ダビング処理の終了予定時刻が告知されるので、より利便性を向上させることができる。
【００９０】
更に、当該重なりがあるとき、予約録画処理が開始される時刻までにダビング処理の実行を一時的に中断し、予約録画処理終了後に当該中断されたダビング処理の実行を再開するので、予約録画処理とダビング処理とを確実に両立させて実行することができる。
【００９１】
更にまた、ダビング処理の対象となる情報の単位となる単位情報が終了後に当該ダビング処理を中断し、予約録画処理終了後に当該単位情報の次の単位情報からダビング処理を再開するので、ダビング処理の対象となる情報に対する当該ダビング処理が不自然な形で終了することなく予約録画処理及びダビング処理を両立させることができる。
【００９２】
（IV）第４実施形態
最後に、本願に係る更に他の実施形態である第４実施形態について、図８及び図９を用いて説明する。なお、図８は第４実施形態に係る情報記録装置における動作を示すフローチャートであり、図９は当該動作を具体的に説明する概念図である。
【００９３】
上述した第１乃至第３実施形態においては、予約録画処理のための放送開始時刻ＴＲＳ等の情報がダビング処理の開始指示（図２、図４及び図６ステップＳ１参照）までにＣＰＵ１７内に記憶されている場合について説明したが、以下に説明する第４実施形態では、ダビング処理の方が先に開始されており、その後に新たな放送情報等の予約録画の必要性が生じた場合について、上記第３実施形態における単位情報を用いたダビング処理の中断方法を適用して対応する。
【００９４】
また、第４実施形態に係る情報記録装置は、図１に示す第１実施形態に係る情報記録装置Ｓの構成と同様の構成を備えるので、細部の説明は省略する。
【００９５】
次に、第４実施形態に係る上記ダビング処理及び上記予約録画処理について、具体的に図８及び図９を用いて説明する。なお、以下に説明する動作においては、第１乃至第３実施形態の場合と異なり、第１乃至第３実施形態に係るものと同様のダビング処理が既に開始されているものとする。また、図８に示すフローチャートにおいては、図１に示す第１実施形態に係るダビング処理及び予約録画処理又は図６に示す第３実施形態に係るダビング処理及び予約録画処理と同様の処理については、同様のステップ番号を付して細部の説明は省略する。
【００９６】
図８に示すように、当該ダビング処理が実行されているときに新たな予約録画処理を行う必要性が生じた場合、先ず当該予約録画処理のために必要な各種情報（上述した放送開始時刻ＴＲＳ及び放送終了時刻ＴＲＥ、放送チャンネル並びに光ディスク1に記録する際の記録レート等を示す諸情報）をＣＰＵ１７内に不揮発的に記憶させ（ステップＳ３０）、その後、当該予約録画内容に基づいて図２に示すステップＳ４と同様の判断を行う。なお、第４実施形態に係るステップＳ４の処理としては、単純に、放送開始時刻ＴＲＳが現在進行しているダビング処理のダビング終了時刻ＴＤＥより前であれば重なりがあると判断する。
【００９７】
そして、当該ステップＳ４の判定において、予約録画時間と進行中のダビング時間との間に少なくとも一部同士の重なりがあるときは（ステップＳ４；ＹＥＳ）、次に、実際のダビング時間ＰＤと予約録画時間ＰＲとの実際の重なり状況を確認し（ステップＳ３１）、その結果を用いて、次に現在第４実施形態に係るダビング処理の対象となっている情報信号Ｓinのうち、放送開始時刻ＴＲＳから上記中断時間Ｂ２だけ遡ったタイミングより前までにダビング処理を完了することができる情報信号Ｓin中の最後の単位情報（例えばチャプター）に相当する部分を算出する（ステップＳ２０）。
【００９８】
その後、図６に示す第３実施形態に係るステップＳ５と同様の処理を行い、当該表示内容、すなわちダビング処理を一時中断して予約録画処理を実行した後に残りのダビング処理を再開する旨を使用者が了承したことを示す操作が操作部２０において実行されたか否かを確認し（ステップＳ６）、当該操作が実行されないときは（ステップＳ６；ＮＯ）、ダビング処理を中断することが容認されていないとして現在進行しているダビング処理を継続し、その後図２に示すステップＳ１０の処理を実行する。
【００９９】
一方、ステップＳ６の判定において、ダビング処理を一時中断して予約録画処理を実行した後に残りのダビング処理を開始する旨を使用者が了承したことを示す操作が操作部２０において実行されたときは（ステップＳ６；ＹＥＳ）、現在進行しているダビング処理を継続し（ステップＳ３２）、当該開始後は図６に示すステップＳ１７、Ｓ１３、Ｓ１８及びＳ１９の動作を実行し、その後は上記ステップＳ１０の処理に移行する。
【０１００】
次に、図８を用いて示した第４実施形態に係るダビング処理及び予約録画処理の実行態様について、具体的に図９を用いて説明する。
【０１０１】
先ず、図９において、予約録画時間ＰＲは、第１乃至第３実施形態の場合と同様に放送開始時刻ＴＲＳから放送終了時刻ＴＲＥまでであり、一方、ダビング時間ＰＤも、第１乃至第３実施形態の場合と同様にダビング開始時刻ＴＤＳからダビング終了時刻ＴＤＥまでであるとする。そして、両者は、ダビング時間ＰＤの終端部分と予約録画時間ＰＲの始端部分とが、時間Ｄだけ重なっているとするが、第４実施形態の場合は、予約録画処理のための放送開始時刻ＴＲＳ等の情報がＣＰＵ17に記憶される前に既にダビング処理が開始されている。
【０１０２】
このような状態で第４実施形態に係るダビング処理及び予約録画処理が実行されると、上記ステップＳ６の判定においてそれが「ＹＥＳ」であった場合は、図９最下段に示すように、既にダビング開始時刻ＴＤＳから開始されているダビング処理において、放送開始時刻ＴＲＳから中断時間Ｂ２だけ遡ったタイミングより前までにダビング処理を完了することができる情報信号Ｓin中の最後の単位情報のダビング処理が終了したタイミング（図９最下段において符号ＰＤ１で示すダビング時間経過後）でダビング処理が一中断される。
【０１０３】
当該ダビング処理の一時中断後は上記中断時間Ｂ２の間に予約録画処理開始のために必要な準備処理を実行し予約録画処理を開始する。そして、当該予約録画処理が全て完了した後、直ちにダビング処理の残り（その所要時間は、図９に示すダビング時間ＰＤ２である）が再開され必要なダビング処理の全てが実行されることになる。
【０１０４】
以上説明したように、第４実施形態に係る情報記録装置の動作による場合にも、予約録画時間の少なくとも一部と、ダビング時間の少なくとも一部と、との間に時間的な重なりがあるとき、予約録画時間を除く時間にダビング処理を実行するように制御するので、使用者の手を介することなく且つ一つの情報記録装置を用いた簡易な構成で、予約録画処理とダビング処理とを両立させて実行することができ、簡略な操作及び構成で且つコスト等を削減しつつ、予約録画時間とダビング時間とが重複する場合でも夫々を両立させて実行することができる。
【０１０５】
また、ダビング処理の終了予定時刻が告知されるので、より利便性を向上させることができる。
【０１０６】
更に、当該重なりがあるとき、予約録画処理が開始される時刻までにダビング処理の実行を一時的に中断し、予約録画処理終了後に当該中断されたダビング処理の実行を再開するので、予約録画処理とダビング処理とを確実に両立させて実行することができる。
【０１０７】
更にまた、ダビング処理の対象となる情報の単位となる単位情報が終了後に当該ダビング処理を中断し、予約録画処理終了後に当該単位情報の次の単位情報からダビング処理を再開するので、ダビング処理の対象となる情報に対する当該ダビング処理が不自然な形で終了することなく予約録画処理及びダビング処理を両立させることができる。
【０１０８】
また、ダビング処理の開始後において予約録画処理の必要性が生じた場合でも、両者を確実に両立させることができる。
【０１０９】
なお、第４実施形態に係るダビング処理の中断方法として、上記準備時間Ｂ１のみを考慮する上記第２実施形態に係るダビング処理の中断方法を用いることが可能であることは言うまでもない。
【０１１０】
また、上述してきた各実施形態においては、予約録画処理とダビング処理とが時間的に重なる場合の対応について夫々説明したが、これ以外に、予約録画処理といわゆるリッピング処理（音楽情報を対象とするダビング処理）とが時間的に重なる場合について本願を適用することも可能である。
【０１１１】
更に、本願に係るダビング処理としては、上述した各実施形態に係るダビング処理（すなわち、光ディスク１へのダビング処理）の他に、光ディスク１に既に記録されている情報を、少なくとも上記ＭＰＥＧエンコーダ４を用いて、上記他の情報再生装置内にある記録媒体又は情報記録装置Ｓ内の上記他の記録媒体に複写する（すなわち、光ディスク１から複写する）ダビング処理をも含まれる。
【０１１２】
更にまた、インターネット等のネットワークへの接続機能を備えた情報記録装置の場合には、上記予約録画処理に代えて、例えば所定のインターネットサイトからのコンテンツダウンロード処理を行ってもよい。
【０１１３】
すなわち、あるコンテンツに対応するコンテンツデータを上記インターネットサイトからダウンロードし、当該コンテンツを当該情報記録装置内の記録媒体（例えば、ハードディスク等）にＭＰＥＧエンコーダ４を用いて記録する際にも、本願を適用することができる。この構成によれば、当該ダウンロード処理と上記ダビング処理とを共に適切に実行することができる。
【０１１４】
また、図２、図４、図６又は図８に示すフローチャートに対応するプログラムを、フレキシブルディスク又はハードディスク等の情報記録媒体に記録しておき、又は上記ネットワークを介して取得して記録しておき、これらを汎用のコンピュータで読み出して実行することにより、当該コンピュータを各実施形態に係るＣＰＵ１７として活用することも可能である。
【図面の簡単な説明】
【０１１５】
【図１】第１実施形態に係る情報記録装置の概要構成を示すブロック図である。
【図２】第１実施形態に係る情報記録装置の動作を示すフローチャートである。
【図３】第１実施形態に係る各処理の流れを例示する図である。
【図４】第２実施形態に係る情報記録装置の動作を示すフローチャートである。
【図５】第２実施形態に係る各処理の流れを例示する図である。
【図６】第３実施形態に係る情報記録装置の動作を示すフローチャートである。
【図７】第３実施形態に係る各処理の流れを例示する図である。
【図８】第４実施形態に係る情報記録装置の動作を示すフローチャートである。
【図９】第４実施形態に係る各処理の流れを例示する図である。
【符号の説明】
【０１１６】
１    光ディスク
２    ピックアップ
４    ＭＰＥＧエンコーダ
６    記録エンコーダ
７    記録回路
１１    ＭＰＥＧデコーダ
１７    ＣＰＵ
１９    表示部
２０    操作部
Ｓ    情報記録装置
【図１】
2009060155.tif 000003
【図２】
2009060155.tif 000004
【図３】
2009060155.tif 000005
【図４】
2009060155.tif 000006
【図５】
2009060155.tif 000007
【図６】
2009060155.tif 000008
【図８】
2009060155.tif 000009
【図９】
2009060155.tif 000010
【図７】
2009060155.tif 000011
【手続補正書】
【提出日】平成18年1月13日(2006.1.13)
【手続補正１】
【補正対象書類名】図面
【補正対象項目名】図９
【補正方法】変更
【補正の内容】
【図９】
2009060155.tif 000012